Podtech/llm-jp-corpus-v4-ja_patent huggingface dataset:
【手続補正書】
【提出日】平成28年11月16日(2016.11.16)
【手続補正１】
【補正対象書類名】特許請求の範囲
【補正対象項目名】全文
【補正方法】変更
【補正の内容】
【特許請求の範囲】
【請求項１】
ベースと、
前記ベース上に設けられ、鋸刃を前後方向に備えた本体と、
前記本体の上部に設けられて前後方向に延びるグリップ部と、
前記本体内に収容され、回転軸が左右方向に配されるブラシレスモータと、
前記本体内に収容され、前記ブラシレスモータを駆動させるためのスイッチング素子を備えたコントローラと、を含み、
前記本体における前記ブラシレスモータの収容部と前記コントローラの収容部とが、それぞれ平面視で前記ベースよりも側方に突出していると共に、前記ブラシレスモータの収容部の突出端と、前記コントローラの収容部の突出端とが、上下及び前後方向で規定される同一平面上に位置していることを特徴とする携帯用マルノコ。
【請求項２】
前記ブラシレスモータの収容部の後端よりも、前記コントローラの収容部の後端の方が後方に位置していることを特徴とする請求項１に記載の携帯用マルノコ。
【請求項３】
前記コントローラは、前記コントローラの収容部へ縦向きに収容されていることを特徴とする請求項１に記載の携帯用マルノコ。
【請求項４】
前記コントローラは、前後方向で前記ブラシレスモータとオーバーラップしていることを特徴とする請求項３に記載の携帯用マルノコ。
【請求項５】
前記回転軸にはファンが設けられて、前記コントローラの収容部が前記ブラシレスモータの収容部における前記ファンの収容部分と連通し、前記ファンの回転により生じる空気流によって、前記ブラシレスモータと前記コントローラとがそれぞれ冷却されることを特徴とする請求項１乃至４の何れかに記載の携帯用マルノコ。
【請求項６】
ハウジングと、
前記ハウジングの上方で前後方向に延びるグリップ部と、
前記グリップ部を挟んだ左右何れか一方側で前記ハウジングに設けられた鋸刃と、
他方側で前記ハウジングに設けられ、前記鋸刃を回転させるブラシレスモータを収容するブラシレスモータ収容部と、を含み、
前記グリップ部の後端は、前記ブラシレスモータ収容部よりも後方位置で前記ハウジングに連結され、
前記ブラシレスモータ収容部よりも後方の領域を含んで前記他方側に向かって突出するように前記ハウジングに設けられ、前記ブラシレスモータを制御するコントローラを収容するコントローラ収容部を備え、
前記ブラシレスモータ収容部の前記他方側への突出端と前記コントローラ収容部の前記他方側への突出端とが、上下及び前後方向で規定される平面に対して同時に当接可能であることを特徴とする携帯用マルノコ。
【手続補正２】
【補正対象書類名】明細書
【補正対象項目名】発明の名称
【補正方法】変更
【補正の内容】
【発明の名称】携帯用マルノコ
【手続補正３】
【補正対象書類名】明細書
【補正対象項目名】０００１
【補正方法】変更
【補正の内容】
【０００１】
本発明は、携帯用マルノコに関する。
【手続補正４】
【補正対象書類名】明細書
【補正対象項目名】０００５
【補正方法】変更
【補正の内容】
【０００５】
そこで、本発明は、操作性が良好となる携帯用マルノコを提供することを目的としたものである。
【手続補正５】
【補正対象書類名】明細書
【補正対象項目名】０００６
【補正方法】変更
【補正の内容】
【０００６】
上記目的を達成するために、請求項１に記載の発明は、ベースと、ベース上に設けられ、鋸刃を前後方向に備えた本体と、本体の上部に設けられて前後方向に延びるグリップ部と、本体内に収容され、回転軸が左右方向に配されるブラシレスモータと、本体内に収容され、ブラシレスモータを駆動させるためのスイッチング素子を備えたコントローラと、を含み、本体におけるブラシレスモータの収容部とコントローラの収容部とが、それぞれ平面視でベースよりも側方に突出していると共に、ブラシレスモータの収容部の突出端と、コントローラの収容部の突出端とが、上下及び前後方向で規定される同一平面上に位置していることを特徴とする。
請求項２に記載の発明は、請求項１の構成において、ブラシレスモータの収容部の後端よりも、コントローラの収容部の後端の方が後方に位置していることを特徴とする。
請求項３に記載の発明は、請求項１の構成において、コントローラは、コントローラの収容部へ縦向きに収容されていることを特徴とする。
請求項４に記載の発明は、請求項３の構成において、コントローラは、前後方向でブラシレスモータとオーバーラップしていることを特徴とする。
請求項５に記載の発明は、請求項１乃至４の何れかの構成において、回転軸にはファンが設けられて、コントローラの収容部がブラシレスモータの収容部におけるファンの収容部分と連通し、ファンの回転により生じる空気流によって、ブラシレスモータとコントローラとがそれぞれ冷却されることを特徴とする。
上記目的を達成するために、請求項６に記載の発明は、ハウジングと、ハウジングの上方で前後方向に延びるグリップ部と、グリップ部を挟んだ左右何れか一方側でハウジングに設けられた鋸刃と、他方側でハウジングに設けられ、鋸刃を回転させるブラシレスモータを収容するブラシレスモータ収容部と、を含み、グリップ部の後端は、ブラシレスモータ収容部よりも後方位置でハウジングに連結され、ブラシレスモータ収容部よりも後方の領域を含んで他方側に向かって突出するようにハウジングに設けられ、ブラシレスモータを制御するコントローラを収容するコントローラ収容部を備え、ブラシレスモータ収容部の他方側への突出端とコントローラ収容部の他方側への突出端とが、上下及び前後方向で規定される平面に対して同時に当接可能であることを特徴とする。
【手続補正６】
【補正対象書類名】明細書
【補正対象項目名】０００７
【補正方法】変更
【補正の内容】
【０００７】
本発明によれば、ブラシレスモータの収容部の突出端とコントローラの収容部の突出端とが、上下及び前後方向で規定される平面よりも側方へ張り出さないので、操作性が良好となる。
【手続補正書】
【提出日】平成29年10月10日(2017.10.10)
【手続補正１】
【補正対象書類名】特許請求の範囲
【補正対象項目名】全文
【補正方法】変更
【補正の内容】
【特許請求の範囲】
【請求項１】
楕円形筒体の一部をスピニング加工によって円筒形に成形する楕円形筒体の成形方法において、
前記楕円形筒体の一部を内側ローラを用いて円筒形に成形する第１の成形工程と、
前記第１の成形工程によって円筒形にされた部位を外側ローラを用いて縮径した円筒形に成形する第２の成形工程と、
を有し、前記第２の成形工程での成形は、前記第１の成形工程の成形よりも時間を僅かに遅らせてなされることを特徴とする楕円形筒体の成形方法。
【請求項２】
請求項１に記載の楕円形筒体の成形方法において、
前記外側ローラは、前記内側ローラと同一設備に設けられており、前記第１の成形工程および前記第２の成形工程は、前記同一設備にて前記成形をすることを特徴とする楕円形筒体の成形方法。
【請求項３】
請求項１または請求項２に記載の楕円形筒体の成形方法において、
前記内側ローラが、前記外側ローラよりも長いことを特徴とする楕円形筒体の成形方法。
【請求項４】
請求項１〜請求項３のいずれか１項に記載の楕円形筒体の成形方法において、
前記第２の成形工程で使用される外側ローラの加工領域は、前記第１の成形工程で使用される内側ローラの加工領域よりも長くなっていることを特徴とする楕円形筒体の成形方法。
【請求項５】
楕円形筒体の一部をスピニング加工によって円筒形に成形する楕円形筒体の成形装置において、
前記楕円形筒体の内側に位置して、前記楕円形筒体の一部を円筒形に成形する内側ローラと、
前記楕円形筒体の外側に位置して、前記内側ローラによって円筒形にされた部位を縮径した円筒形に成形する外側ローラと、
を有し、前記外側ローラによる成形が、前記内側ローラによる成形よりも時間を僅かに遅らせてなされるように構成されていることを特徴とする楕円形筒体の成形装置。
【請求項６】
請求項５に記載の楕円形筒体の成形装置において、
前記内側ローラが、外側ローラよりも長いことを特徴とする楕円形筒体の成形装置。
【請求項７】
請求項５または請求項６に記載の楕円形筒体の成形装置において、
前記外側ローラの加工領域は、前記内側ローラの加工領域よりも長くなっていることを特徴とする楕円形筒体の成形装置。
【手続補正２】
【補正対象書類名】明細書
【補正対象項目名】００１０
【補正方法】変更
【補正の内容】
【００１０】
請求項１に記載の発明は、楕円形筒体の一部をスピニング加工によって円筒形に成形する楕円形筒体の成形方法において、前記楕円形筒体の一部を内側ローラを用いて円筒形に成形する第１の成形工程と、前記第１の成形工程によって円筒形にされた部位を外側ローラを用いて縮径した円筒形に成形する第２の成形工程とを有し、前記第２の成形工程での成形は、前記第１の成形工程の成形よりも時間を僅かに遅らせてなされる楕円形筒体の成形方法である。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
請求項２に記載の発明は、請求項１に記載の楕円形筒体の成形方法において、前記外側ローラは、前記内側ローラと同一設備に設けられており、前記第１の成形工程および前記第２の成形工程は、前記同一設備にて前記成形をする楕円形筒体の成形方法である。
【手続補正７】
【補正対象書類名】明細書
【補正対象項目名】００１５
【補正方法】変更
【補正の内容】
【００１５】
請求項３に記載の発明は、請求項１または請求項２に記載の楕円形筒体の成形方法において、前記内側ローラが、前記外側ローラよりも長い楕円形筒体の成形方法である。
【手続補正８】
【補正対象書類名】明細書
【補正対象項目名】００１６
【補正方法】変更
【補正の内容】
【００１６】
請求項４に記載の発明は、請求項１〜請求項３のいずれか１項に記載の楕円形筒体の成形方法において、前記第２の成形工程で使用される外側ローラの加工領域は、前記第１の成形工程で使用される内側ローラの加工領域よりも長くなっている楕円形筒体の成形方法である。
【手続補正９】
【補正対象書類名】明細書
【補正対象項目名】００１７
【補正方法】変更
【補正の内容】
【００１７】
請求項５に記載の発明は、楕円形筒体の一部をスピニング加工によって円筒形に成形する楕円形筒体の成形装置において、前記楕円形筒体の内側に位置して、前記楕円形筒体の一部を円筒形に成形する内側ローラと、前記楕円形筒体の外側に位置して、前記内側ローラによって円筒形にされた部位を縮径した円筒形に成形する外側ローラとを有し、前記外側ローラによる成形が、前記内側ローラによる成形よりも時間を僅かに遅らせてなされるように構成されている楕円形筒体の成形装置である。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】変更
【補正の内容】
【００２１】
請求項６に記載の発明は、請求項５に記載の楕円形筒体の成形装置において、前記内側ローラが、外側ローラよりも長い楕円形筒体の成形装置である。
【手続補正１４】
【補正対象書類名】明細書
【補正対象項目名】００２２
【補正方法】変更
【補正の内容】
【００２２】
請求項７に記載の発明は、請求項５または請求項６に記載の楕円形筒体の成形装置において、前記外側ローラの加工領域は、前記内側ローラの加工領域よりも長くなっている楕円形筒体の成形装置である。
【手続補正書】
【提出日】平成28年12月9日(2016.12.9)
【手続補正１】
【補正対象書類名】特許請求の範囲
【補正対象項目名】全文
【補正方法】変更
【補正の内容】
【特許請求の範囲】
【請求項１】
所定条件の成立に基づき複数の図柄を変動表示するゲームを実行し、当該複数の図柄が特定の停止態様になると遊技者にとって有利な遊技状態を発生する遊技機において、
所定の更新条件が成立することにより表示内容を更新可能な表示手段と、
前記表示手段における表示制御を実行可能な表示制御手段と、を備え、
前記表示制御手段は、
前記表示手段に表示される表示内容を複数の表示階層に対応付け、
前記所定の更新条件が成立することにより、一の表示階層に対応した表示内容から別の表示階層に対応した表示内容に更新することを特徴とする遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００１
【補正方法】変更
【補正の内容】
【０００１】
本発明は、遊技機に関する。
【手続補正４】
【補正対象書類名】明細書
【補正対象項目名】０００２
【補正方法】変更
【補正の内容】
【０００２】
従来の遊技機においては、所定条件の成立に基づき複数の図柄を変動表示するゲームを実行し、複数の図柄が特定の停止態様になると遊技者にとって有利な遊技状態となるよう構成されている。
【手続補正５】
【補正対象書類名】明細書
【補正対象項目名】０００３
【補正方法】変更
【補正の内容】
【０００３】
このような遊技機においては、遊技者にとって有利なゲーム進行となる特定遊技状態を発生させるか否かを決定し、特別遊技状態を発生させることが決定されたこと（抽選の結果）に基づき当該特定遊技状態が開始されるようなものが提案されている（例えば、特許文献１）。
【手続補正６】
【補正対象書類名】明細書
【補正対象項目名】０００４
【補正方法】変更
【補正の内容】
【０００４】
【特許文献１】特開２００３−３２０１２２号公報
【手続補正７】
【補正対象書類名】明細書
【補正対象項目名】０００５
【補正方法】変更
【補正の内容】
【０００５】
ところで、上記した特許文献に記載されたような遊技機では、遊技者が意図しない処理が実行され易いという問題があった。
【手続補正８】
【補正対象書類名】明細書
【補正対象項目名】０００６
【補正方法】変更
【補正の内容】
【０００６】
そこで、本発明は、上記した問題点に鑑みてなされたものであり、遊技者が意図した処理が実行可能な遊技機を提供することを目的とする。
【手続補正９】
【補正対象書類名】明細書
【補正対象項目名】０００７
【補正方法】変更
【補正の内容】
【０００７】
本発明の代表的な一形態では、所定条件の成立に基づき複数の図柄を変動表示するゲームを実行し、当該複数の図柄が特定の停止態様になると遊技者にとって有利な遊技状態を発生する遊技機において、所定の更新条件が成立することにより表示内容を更新可能な表示手段と、前記表示手段における表示制御を実行可能な表示制御手段と、を備え、前記表示制御手段は、前記表示手段に表示される表示内容を複数の表示階層に対応付け、前記所定の更新条件が成立することにより、一の表示階層に対応した表示内容から別の表示階層に対応した表示内容に更新する。
【手続補正１０】
【補正対象書類名】明細書
【補正対象項目名】０００８
【補正方法】削除
【補正の内容】
【手続補正１１】
【補正対象書類名】明細書
【補正対象項目名】０００９
【補正方法】削除
【補正の内容】
【手続補正１２】
【補正対象書類名】明細書
【補正対象項目名】００１０
【補正方法】削除
【補正の内容】
【手続補正１３】
【補正対象書類名】明細書
【補正対象項目名】００１１
【補正方法】変更
【補正の内容】
【００１１】
本発明によれば、遊技者が意図した処理が実行可能となる。
【手続補正１４】
【補正対象書類名】図面
【補正対象項目名】図８０
【補正方法】変更
【補正の内容】
【図８０】
2015112247.tif 000001
【手続補正書】
【提出日】平成28年12月9日(2016.12.9)
【手続補正１】
【補正対象書類名】特許請求の範囲
【補正対象項目名】全文
【補正方法】変更
【補正の内容】
【特許請求の範囲】
【請求項１】
賭数を設定した後の開始操作に基づき賞役の内部抽選を行って複数のリールを変動表示するゲームを開始し、停止操作に基づき停止させた複数のリールの出目が内部当選した賞役の入賞を成立させる停止出目になると賞メダルを付与するための付与処理を実行可能なスロットマシンにおいて、
メダル投入口から投入されたメダルをマシン内部に取り込むための取込状態と遊技者に返却するための返却状態とに変換することが可能なメダル選別部と、
前記付与処理の実行に対応して、入賞が成立したことを認識可能とする所定の報知演出を実行することが可能な報知演出手段と、を備え、
前記報知演出手段は、前記付与処理の実行に対応して開始した前記報知演出を当該付与処理の終了から所定期間が経過した後に終了させることが可能であることを特徴とするスロットマシン。
【手続補正２】
【補正対象書類名】明細書
【補正対象項目名】０００７
【補正方法】変更
【補正の内容】
【０００７】
本発明の代表的な一形態では、賭数を設定した後の開始操作に基づき賞役の内部抽選を行って複数のリールを変動表示するゲームを開始し、停止操作に基づき停止させた複数のリールの出目が内部当選した賞役の入賞を成立させる停止出目になると賞メダルを付与するための付与処理を実行可能なスロットマシンにおいて、メダル投入口から投入されたメダルをマシン内部に取り込むための取込状態と遊技者に返却するための返却状態とに変換することが可能なメダル選別部と、前記付与処理の実行に対応して、入賞が成立したことを認識可能とする所定の報知演出を実行することが可能な報知演出手段と、を備え、前記報知演出手段は、前記付与処理の実行に対応して開始した前記報知演出を当該付与処理の終了から所定期間が経過した後に終了させることが可能である。
【手続補正３】
【補正対象書類名】図面
【補正対象項目名】図８０
【補正方法】変更
【補正の内容】
【図８０】
2015112251.tif 000001
【手続補正書】
【提出日】平成28年11月28日(2016.11.28)
【手続補正１】
【補正対象書類名】特許請求の範囲
【補正対象項目名】全文
【補正方法】変更
【補正の内容】
【特許請求の範囲】
【請求項１】
ネットワークを介して複数のプレイヤの端末装置と接続されるゲーム管理サーバ装置であって、
複数のプレイヤについて、各プレイヤが所有するキャラクタの情報を対応づけて記憶するプレイヤ情報記憶部と、
ベースキャラクタと、当該ベースキャラクタと組み合わせることにより当該ベースキャラクタを進化させるパートナーキャラクタと、前記ベースキャラクタを進化させた進化キャラクタとを対応づけて記憶する進化情報記憶部と、
第１のプレイヤから、当該第１のプレイヤのベースキャラクタと他の第２のプレイヤが所有するパートナーキャラクタとを組み合わせた前記ベースキャラクタの進化指示を受け付けると、前記第２のプレイヤの前記パートナーキャラクタを利用して、前記ベースキャラクタを当該ベースキャラクタと前記パートナーキャラクタとに対応づけられた進化キャラクタに進化させる進化処理管理部と、
を含むゲーム管理サーバ装置。
【請求項２】
請求項１に記載のゲーム管理サーバ装置において、
前記進化処理管理部は、前記第１のプレイヤから、当該第１のプレイヤのベースキャラクタと当該第１のプレイヤが所有するパートナーキャラクタとを組み合わせた前記ベースキャラクタの進化指示を受け付けると、前記ベースキャラクタを当該ベースキャラクタと前記パートナーキャラクタに対応づけられた進化キャラクタに進化させるとともに、前記プレイヤ情報記憶部の前記第１のプレイヤの所有するキャラクタの情報のうち、前記パートナーキャラクタとして利用されたキャラクタの情報を削除する一方、前記第２のプレイヤの前記パートナーキャラクタを利用して前記第１のプレイヤの前記ベースキャラクタを前記進化キャラクタに進化させた場合、前記パートナーキャラクタが前記第２のプレイヤに所有されたままとするゲーム管理サーバ装置。
【請求項３】
請求項１又は２に記載のゲーム管理サーバ装置において、
前記進化処理管理部は、前記第１のプレイヤから、当該第１のプレイヤのベースキャラクタの進化指示を受け付けると、前記進化情報記憶部及び前記プレイヤ情報記憶部を参照して、当該ベースキャラクタに対応づけられた前記パートナーキャラクタ及び当該パートナーキャラクタを所有する他のプレイヤの情報を抽出して前記第１のプレイヤに提示する処理を行うゲーム管理サーバ装置。
【請求項４】
請求項１又は２に記載のゲーム管理サーバ装置において、
前記進化処理管理部は、前記第１のプレイヤのベースキャラクタ及び当該ベースキャラクタと組み合わせるパートナーキャラクタが指定された状態で、前記第１のプレイヤから前記パートナーキャラクタを所有する他のプレイヤを検索する指示を受け付けると、前記プレイヤ情報記憶部を参照して、前記パートナーキャラクタを所有する他のプレイヤの情報を前記第１のプレイヤに提示する処理を行うゲーム管理サーバ装置。
【請求項５】
請求項１又は２に記載のゲーム管理サーバ装置において、
前記進化処理管理部は、前記第１のプレイヤのベースキャラクタが指定された状態で、前記第１のプレイヤから他のプレイヤを識別する情報の入力を受け付けると、前記進化情報記憶部及び前記プレイヤ情報記憶部を参照して、当該他のプレイヤが所有するキャラクタの中から前記ベースキャラクタに対応づけられた前記パートナーキャラクタの情報を抽出して前記第１のプレイヤに提示する処理を行うゲーム管理サーバ装置。
【請求項６】
請求項１から５いずれかに記載のゲーム管理サーバ装置において、
前記プレイヤ情報記憶部は、前記複数のプレイヤについて、各プレイヤの仲間プレイヤを示す情報を対応づけて記憶し、
前記進化処理管理部は、前記第２のプレイヤが前記第１のプレイヤの仲間プレイヤである場合に、前記第１のプレイヤが前記第２のプレイヤの所有する前記パートナーキャラクタを利用可能とするゲーム管理サーバ装置。
【請求項７】
請求項１から６いずれかに記載のゲーム管理サーバ装置において、
前記進化情報記憶部は、前記ベースキャラクタの経験値の範囲毎に、異なるパートナーキャラクタ又は進化キャラクタを記憶するゲーム管理サーバ装置。
【請求項８】
請求項１から７いずれかに記載のゲーム管理サーバ装置において、
前記進化情報記憶部は、前記パートナーキャラクタの経験値の範囲毎に、異なるベースキャラクタ又は進化キャラクタを記憶するゲーム管理サーバ装置。
【請求項９】
ネットワークを介して複数のプレイヤの端末装置と接続されるゲーム管理サーバ装置として機能するコンピュータを、
複数のプレイヤについて、各プレイヤが所有するキャラクタの情報を対応づけて記憶するプレイヤ情報記憶手段、
ベースキャラクタと、当該ベースキャラクタと組み合わせることにより当該ベースキャラクタを進化させるパートナーキャラクタと、前記ベースキャラクタを進化させた進化キャラクタとを対応づけて記憶する進化情報記憶手段、
第１のプレイヤから、当該第１のプレイヤのベースキャラクタと他の第２のプレイヤが所有するパートナーキャラクタとを組み合わせた前記ベースキャラクタの進化指示を受け付けると、前記第２のプレイヤの前記パートナーキャラクタを利用して、前記ベースキャラクタを当該ベースキャラクタと前記パートナーキャラクタとに対応づけられた進化キャラクタに進化させる進化処理管理手段、
として機能させるゲーム管理プログラム。
【手続補正２】
【補正対象書類名】明細書
【補正対象項目名】０００７
【補正方法】変更
【補正の内容】
【０００７】
本発明によれば、ネットワークを介して複数のプレイヤの端末装置と接続されるゲーム管理サーバ装置であって、複数のプレイヤについて、各プレイヤが所有するキャラクタの情報を対応づけて記憶するプレイヤ情報記憶部と、ベースキャラクタと、当該ベースキャラクタと組み合わせることにより当該ベースキャラクタを進化させるパートナーキャラクタと、前記ベースキャラクタを進化させた進化キャラクタとを対応づけて記憶する進化情報記憶部と、第１のプレイヤから、当該第１のプレイヤのベースキャラクタと他の第２のプレイヤが所有するパートナーキャラクタとを組み合わせた前記ベースキャラクタの進化指示を受け付けると、前記第２のプレイヤの前記パートナーキャラクタを利用して、前記ベースキャラクタを当該ベースキャラクタと前記パートナーキャラクタとに対応づけられた進化キャラクタに進化させる進化処理管理部と、を含むゲーム管理サーバ装置が提供される。
【手続補正書】
【提出日】平成28年12月2日(2016.12.2)
【手続補正１】
【補正対象書類名】特許請求の範囲
【補正対象項目名】全文
【補正方法】変更
【補正の内容】
【特許請求の範囲】
【請求項１】
電子ゲームに関するプレイ情報を記憶するプレイ情報記憶手段と、
前記プレイ情報をクライアントに送信するプレイ情報送信手段と、
前記クライアントにおいて前記プレイ情報に基づいて前記電子ゲームの情報を第１のユーザに提示する提示手段と、
前記クライアントから前記第１のユーザのアクセスを受けて、前記クライアントとの通信が可能であるかを判定する判定手段と、
を備え、
前記判定手段は、前記提示手段による提示中に前記クライアントからのアクセスを受けて、前記クライアントとの通信が可能である場合には前記プレイ情報に応じた前記電子ゲームの操作を前記第１のユーザに許可し、前記電子ゲームを開始させ、前記クライアントとの通信が可能でない場合には前記電子ゲームの操作を前記第１のユーザに許可せず、前記提示手段によって前記プレイ情報に基づく前記電子ゲームの情報の提示を継続させる、電子ゲーム提供装置。
【請求項２】
請求項１に記載の電子ゲーム提供装置であって、
前記判定手段は、前記電子ゲームの操作を前記第１のユーザに許可した場合、前記第１のユーザ又は前記第１のユーザとは異なる第２のユーザがプレイしたときの前記プレイ情報に応じて前記電子ゲームを操作させる、電子ゲーム提供装置。
【請求項３】
電子ゲームに関するプレイ情報を記憶するプレイ情報記憶手段にアクセス可能であるコンピュータを、
前記プレイ情報をクライアントに送信するプレイ情報送信手段と、
前記クライアントから第１のユーザのアクセスを受けて、前記クライアントとの通信が可能であるかを判定する判定手段と、
して機能させ、
前記判定手段では、前記クライアントにおいて前記プレイ情報に基づいて前記電子ゲームの情報を前記第１のユーザに対して提示中に、前記クライアントからのアクセスを受けて、前記クライアントとの通信が可能である場合には、前記プレイ情報に応じた前記電子ゲームの操作を前記第１のユーザに許可し、前記電子ゲームを開始させ、前記クライアントとの通信が可能でない場合には前記電子ゲームの操作を前記第１のユーザに許可せず、前記提示手段によって前記プレイ情報に基づく前記電子ゲームの情報の提示を継続させる、電子ゲームプログラム。
【手続補正書】
【提出日】平成29年6月26日(2017.6.26)
【手続補正１】
【補正対象書類名】特許請求の範囲
【補正対象項目名】全文
【補正方法】変更
【補正の内容】
【特許請求の範囲】
【請求項１】
遊技媒体が進入可能であり、遊技者にとって有利な第１状態と該第１状態よりも遊技者にとって不利な第２状態とに変化可能な可変入賞手段を備え、遊技者にとって有利な有利状態に制御可能な遊技機であって、
前記有利状態に制御されたときに、前記可変入賞手段を第２状態から第１状態に制御する遊技ラウンドを所定回数実行可能であり、
遊技の進行を制御する遊技制御手段と、
該遊技制御手段が送信する指令情報に基づいて演出を制御する演出制御手段とを備え、
前記遊技ラウンドは、第１期間継続する第１単位遊技ラウンドと、該第１期間よりも短い第２期間継続する第２単位遊技ラウンドとを含み、
前記遊技制御手段は、前記有利状態の進行に応じて、前記第１単位遊技ラウンドを実行することを特定可能な第１単位遊技指令情報と、前記第２単位遊技ラウンドを実行することを特定可能な第２単位遊技指令情報とのいずれかの単位遊技指令情報と、前記可変入賞手段への遊技媒体の進入に基づく入賞通知情報とを、送信可能であり、
前記演出制御手段は、第１単位遊技指令情報の受信に基づいて所定報知を行ない、前記入賞通知情報の受信に基づいて特定報知を行う、遊技機。
【手続補正２】
【補正対象書類名】明細書
【補正対象項目名】０００７
【補正方法】変更
【補正の内容】
【０００７】
（Ａ）  遊技媒体が進入可能であり、遊技者にとって有利な第１状態と該第１状態よりも遊技者にとって不利な第２状態とに変化可能な可変入賞手段を備え、遊技者にとって有利な有利状態に制御可能な遊技機であって、
前記有利状態に制御されたときに、前記可変入賞手段を第２状態から第１状態に制御する遊技ラウンドを所定回数実行可能であり、
遊技の進行を制御する遊技制御手段と、
該遊技制御手段が送信する指令情報に基づいて演出を制御する演出制御手段とを備え、
前記遊技ラウンドは、第１期間継続する第１単位遊技ラウンドと、該第１期間よりも短い第２期間継続する第２単位遊技ラウンドとを含み、
前記遊技制御手段は、前記有利状態の進行に応じて、前記第１単位遊技ラウンドを実行することを特定可能な第１単位遊技指令情報と、前記第２単位遊技ラウンドを実行することを特定可能な第２単位遊技指令情報とのいずれかの単位遊技指令情報と、前記可変入賞手段への遊技媒体の進入に基づく入賞通知情報とを、送信可能であり、
前記演出制御手段は、第１単位遊技指令情報の受信に基づいて所定報知を行ない、前記入賞通知情報の受信に基づいて特定報知を行う。
（１）  遊技者にとって有利な第１の状態（開状態）と該第１の状態よりも遊技者にとって不利な第２の状態（閉状態）とに変化可能な可変入賞手段（特別可変入賞球装置２０）について、遊技者にとって有利な特定遊技状態（大当り遊技状態）に制御されたときに、第２の状態から第１の状態に制御する遊技ラウンド（ラウンド）を所定回数（たとえば、１〜１６回）実行させる遊技機（パチンコ遊技機１）であって、
遊技の進行を制御する遊技制御手段（遊技制御用マイクロコンピュータ５６０）と、
該遊技制御手段が送信する指令情報（演出制御コマンド）に基づいて演出を制御する演出制御手段（演出制御用マイクロコンピュータ１００）とを備え、
前記遊技ラウンドは、第１期間継続する第１単位遊技ラウンド（長開放ラウンド）と、
該第１期間よりも短い第２期間継続する第２単位遊技ラウンド（短開放ラウンド）とを含み、
前記遊技制御手段は、前記特定遊技状態の進行に応じて、前記第１単位遊技ラウンドを実行することを特定可能な第１単位遊技指令情報（開放中１指定コマンド）と、前記第２単位遊技ラウンドを実行することを特定可能な第２単位遊技指令情報（開放中２指定コマンド）とのいずれかの単位遊技指令情報（開放中指定コマンド）を送信可能であり（図７、図１４のＳ４０６，Ｓ４０７）、
前記演出制御手段は、第１単位遊技指令情報を受信したことに基づいて所定の報知（ラウンド数表示の更新表示）を行なう（図８、図１９のＳ９３２，Ｓ９３５）。
【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
遊技機本体を支持する機枠に対し、ガラス板を支持する前扉が、その上下位置を蝶着部として片開き可能とされている遊技機であって、
前記前扉の下側の蝶着部において、
前記前扉を閉姿勢から所定角度以上まで開放した開姿勢とした際、前記前扉の後端縁と前記前扉の後方に位置する前記機枠側との間の前後方向での距離が遊技球１個の直径以上となり、前記前扉の後端縁と前記機枠側との間に、遊技球が通過可能で且つ左右方向で遊技機外に開通する隙間が形成されるとともに、
前記前扉の前記所定角度を下回る前記閉姿勢側での回動に際しては、前記前扉の後端縁と前記機枠側との前後方向での距離が遊技球１個の直径未満となるまで、前記前扉の後端縁が前記機枠側へ近接することを特徴とする遊技機。
【請求項２】
前記前扉の蝶着側の側面における下端部に、
前記前扉を前記開姿勢から前記閉姿勢へと回動する際に、前記隙間へ進入していた遊技球が前記側面側から入り込み可能で、且つ、前記前扉の前面側へも開口した凹部が設けられていることを特徴とする請求項１に記載の遊技機。
【手続補正２】
【補正対象書類名】明細書
【補正対象項目名】０００６
【補正方法】変更
【補正の内容】
【０００６】
上記目的を達成するために、本発明のうち請求項１に記載の発明は、遊技機本体を支持する機枠に対し、ガラス板を支持する前扉が、その上下位置を蝶着部として片開き可能とされている遊技機であって、前記前扉の下側の蝶着部において、前記前扉を閉姿勢から所定角度以上まで開放した開姿勢とした際、前記前扉の後端縁と前記前扉の後方に位置する前記機枠側との間の前後方向での距離が遊技球１個の直径以上となり、前記前扉の後端縁と前記機枠側との間に、遊技球が通過可能で且つ左右方向で遊技機外に開通する隙間が形成されるとともに、前記前扉の前記所定角度を下回る前記閉姿勢側での回動に際しては、前記前扉の後端縁と前記機枠側との前後方向での距離が遊技球１個の直径未満となるまで、前記前扉の後端縁が前記機枠側へ近接することを特徴とする。
請求項２に記載の発明は、請求項１に記載の発明において、前記前扉の蝶着側の側面における下端部に、前記前扉を前記開姿勢から前記閉姿勢へと回動する際に、前記隙間へ進入していた遊技球が前記側面側から入り込み可能で、且つ、前記前扉の前面側へも開口した凹部が設けられていることを特徴とする。
【手続補正３】
【補正対象書類名】明細書
【補正対象項目名】０００８
【補正方法】変更
【補正の内容】
【０００８】
本発明によれば、前扉の下側の蝶着部において、前扉を閉姿勢から所定角度以上まで開放した開姿勢とした際、前扉の後端縁と前扉の後方に位置する機枠側との間の前後方向での距離が遊技球１個の直径以上となり、前扉の後端縁と機枠側との間に、遊技球が通過可能で且つ左右方向で遊技機外に開通する隙間が形成されるとともに、前扉の所定角度を下回る閉姿勢側での回動に際しては、前扉の後端縁と機枠側との前後方向での距離が遊技球１個の直径未満となるまで、前扉の後端縁が前記機枠側へ近接するようにしている。したがって、蝶着部において前扉と機枠側との隙間内へ遊技球が進入したとしても、開姿勢にある前扉を閉姿勢側へ回動させるだけで、前扉に押し出される格好で、遊技球は隙間から遊技機外へ排出されることになる。そのため、前扉の蝶着部からの球抜き作業が非常に容易であるし、従来の如く蝶着部に排出孔を開設したりする必要がないため、防犯性が損なわれることもない。
また、請求項２に記載の発明によれば、前扉の蝶着側の側面における下端部に、前扉を開姿勢から閉姿勢へと回動する際に、隙間へ進入していた遊技球が側面側から入り込み可能で、且つ、前扉の前面側へも開口した凹部が設けられているため、たとえ球貸機等が隣設されていたとしても、隙間から排出されようとする遊技球は凹部へ入り込むため、前扉と球貸機との間に挟まったりしない。したがって、前扉と球貸機との間で球噛みがおきてしまうという事態を防止することができる。
【手続補正書】
【提出日】平成28年12月5日(2016.12.5)
【手続補正１】
【補正対象書類名】特許請求の範囲
【補正対象項目名】請求項３
【補正方法】変更
【補正の内容】
【請求項３】
補助弾性体の先端部がリング状になっており、補助弾性体がリングに牽引弾性体を通すことによって連結されている請求項１又は２のいずれかに記載の人形の股関節構造。
【手続補正２】
【補正対象書類名】明細書
【補正対象項目名】００１１
【補正方法】変更
【補正の内容】
【００１１】
また、本発明は、前記人形の股関節構造において、補助弾性体が牽引弾性体に沿って移動可能に連結されているものである。
【手続補正３】
【補正対象書類名】明細書
【補正対象項目名】００１２
【補正方法】変更
【補正の内容】
【００１２】
また、本発明は、前記いずれかの人形の股関節構造において、補助弾性体の先端部がリング状になっており、補助弾性体がリングに牽引弾性体を通すことによって連結されているものである。
【手続補正４】
【補正対象書類名】明細書
【補正対象項目名】００１３
【補正方法】変更
【補正の内容】
【００１３】
また、本発明は、前記いずれかの人形の股関節構造において、胴部材の両股関節凹部が股間部の連絡部によって互いに繋がっており、股間部の連絡部に補助弾性体が通されており、股間部の連結部から突出した補助弾性体の両端がそれぞれ左・右いずれかの脚部材の中空部内に通された牽引弾性体に連結されているものである。
【手続補正５】
【補正対象書類名】明細書
【補正対象項目名】００１４
【補正方法】変更
【補正の内容】
【００１４】
また、本発明は、前記いずれかの人形の股関節構造において、左・右脚部材を開脚させない状態において補助弾性体が牽引弾性体を牽引していないものである。
【手続補正書】
【提出日】平成28年11月30日(2016.11.30)
【手続補正１】
【補正対象書類名】特許請求の範囲
【補正対象項目名】全文
【補正方法】変更
【補正の内容】
【特許請求の範囲】
【請求項１】
記録媒体に液体を噴射する記録ヘッドと、
前記記録ヘッドを収容する筐体と、
前記筐体の前記記録媒体が排出される側を正面とする前記筐体の側面に装着され、前記
液体を収容する液体収容体と、
前記液体収容体から前記記録ヘッドに前記液体を供給する供給部と、を備え、
前記筐体の前記側面における前記液体収容体より上部に、第１の取っ手部を備えること
を特徴とする記録装置。
【請求項２】
記録媒体に液体を噴射する記録ヘッドと、
前記記録ヘッドを収容する筐体と、
前記液体を収容する液体収容体と、
前記液体収容体から前記記録ヘッドに前記液体を供給する供給部と、
前記液体収容体を収容する液体収容ユニットと、
前記筐体の前記記録媒体が排出される側を正面とする前記筐体の側面に取り付けられ、
前記液体収容ユニットを着脱可能に装着する装着部と、を備え、
前記液体収容ユニットが前記装着部に装着された状態において、前記装着部における前
記液体収容ユニットより上部に、第１の取っ手部を備えることを特徴とする記録装置。
【請求項３】
請求項２に記載の記録装置であって、
前記第１の取っ手部は、前記装着部に備えられることを特徴とする記録装置。
【請求項４】
請求項１に記載の記録装置であって、
前記液体収容体が装着された前記筐体の側面と反対側の側面に、第２の取っ手部を備えること
を特徴とする記録装置。
【請求項５】
請求項２または請求項３に記載の記録装置であって、
前記筐体における前記装着部が備えられた前記筐体の側面と反対側の側面に、第２の取っ手部
を備えることを特徴とする記録装置。
【請求項６】
請求項１に記載の記録装置であって、
前記第１の取っ手部は前記筐体の側面から延出することを特徴とする記録装置。
【請求項７】
請求項２に記載の記録装置であって、
前記第１の取っ手部は、前記側面から突出して前後方向に延在する第１延在部と、前記
側面から突出し、前記第１延在部の前後方向の端部に接続されて前記装着部側に延在する
第２延在部と、を有することを特徴とする記録装置。
【請求項８】
請求項１から請求項７のいずれか一項に記載の記録装置であって、
前記第１の取っ手部は、前記筐体または前記装着部とは別の部材として形成されることを特徴とする記録装置。
【請求項９】
請求項１から請求項８のいずれか一項に記載の記録装置であって、
前記供給部は、前記液体収容体と前記記録ヘッドと連通する液体供給チューブを備え、
前記液体供給チューブは、前記筐体の側面を貫通し連通することを特徴とする記録装置。
【請求項１０】
請求項１から請求項９のいずれか一項に記載の記録装置であって、
廃液を吸収する廃液吸収体を収容する廃液タンクが、前記液体収容体の背面側に備えら
れることを特徴とする記録装置。
【手続補正書】
【提出日】平成28年11月30日(2016.11.30)
【手続補正１】
【補正対象書類名】特許請求の範囲
【補正対象項目名】全文
【補正方法】変更
【補正の内容】
【特許請求の範囲】
【請求項１】
液滴吐出ヘッドにインクを供給するためのインク供給機構であって、
一方の端に設けられたインク流入口と、他方の端に設けられたインク排出口とを有する開放型のインク容器と、
前記インク排出口と前記液滴吐出ヘッドとの間に設けられた開閉バルブと、
前記インク容器の前記インク排出口側に設けられた圧力センサーと、
前記開閉バルブと前記圧力センサーとが電気的に接続された制御部と、を備え、
前記他方の端が、鉛直方向において、前記一方の端より下方に位置するように前記インク容器が配置されることを特徴とするインク供給機構。
【請求項２】
前記開閉バルブと前記液滴吐出ヘッドとの間に圧力調整弁を備えることを特徴とする請求項１に記載のインク供給機構。
【請求項３】
前記インク容器の容積よりも大きな容積のインク貯留部を備え、
インクは前記インク貯留部から前記インク流入口を経由して前記インク容器に注入されることを特徴とする請求項１または２に記載のインク供給機構。
【請求項４】
前記インク容器は不透明であって、前記一方の端に前記インク容器と連通して設けられ、少なくとも長手方向に延在する透明部を有する管状の容器を備え、前記管状の容器が大気開放されていることを特徴とする請求項１乃至３のいずれか一項に記載のインク供給機構。
【請求項５】
前記開閉バルブは、前記インク流入口と前記インク排出口との間の高さに位置するように前記インク容器に対して配置され、前記インク排出口と前記開閉バルブとの間、及び前記開閉バルブと前記液滴吐出ヘッドとの間は、可撓性の配管で繋がれていることを特徴とする請求項１乃至４のいずれか一項に記載のインク供給機構。
【請求項６】
前記可撓性の配管は、遮光性を有していることを特徴とする請求項１乃至５のいずれか一項に記載のインク供給機構。
【請求項７】
液滴吐出ヘッドにインクを供給するためのインク供給方法であって、
一方の端に設けられたインク流入口と、他方の端に設けられたインク排出口とを有する開放型のインク容器と、
前記インク排出口と前記液滴吐出ヘッドとの間に設けられた開閉バルブと、
前記インク容器の前記インク排出口側に設けられた圧力センサーと、
前記開閉バルブと前記圧力センサーとが電気的に接続された制御部と、を備え、
前記他方の端が、鉛直方向において、前記一方の端より下方に位置するように前記インク容器が配置されたインク供給機構を用い、
前記制御部は、前記圧力センサーから出力される、前記インク容器中のインクの第１の液位に対応する第１の信号と、前記第１の液位よりも低い第２の液位に対応する第２の信号とを検知し、前記第２の信号を検知したときに、前記インク容器へのインクの注入を開始し、前記第１の信号を検知したときに、前記インク容器へのインクの注入を停止することを特徴とするインク供給方法。
【請求項８】
前記制御部は、前記開閉バルブを閉じて前記液滴吐出ヘッドへのインク供給を停止している間に、
前記圧力センサーからの出力を検知して、前記インク容器へのインクの注入の要否を判定し、
前記第２の信号を検知した場合に、インク容器へのインクの注入を行うことを特徴とする請求項７に記載のインク供給方法。
【請求項９】
前記制御部は、前記圧力センサーからの出力を検知し、前記インク容器に注入されるインクまたは前記インク容器から排出されるインクの単位時間あたりの流量を制御することを特徴とすることを特徴とする請求項７または８に記載のインク供給方法。
【請求項１０】
前記インク流入口を介して前記インク容器に繋がれたインク貯留部を有し、
前記制御部は、前記インク容器へのインク注入時に前記圧力センサーの出力を検知し、
出力の変動が認められない場合、前記インク貯留部がほぼ空であると判定することを特徴とする請求項７乃至９のいずれか一項に記載のインク供給方法。
【請求項１１】
複数のノズルからインクを液滴として吐出可能な液滴吐出ヘッドと、
請求項１乃至６のいずれか一項に記載のインク供給機構とを備えたことを特徴とする液滴吐出装置。
【請求項１２】
複数の前記液滴吐出ヘッドが取り付けられたキャリッジを備え、
前記インク供給機構のうち少なくとも前記インク容器と前記圧力センサーと前記開閉バルブとが前記キャリッジに取り付けられていることを特徴とする請求項１１に記載の液滴
吐出装置。
【手続補正２】
【補正対象書類名】明細書
【補正対象項目名】０００７
【補正方法】変更
【補正の内容】
【０００７】
［適用例］本適用例に係るインク供給機構は、液滴吐出ヘッドにインクを供給するためのインク供給機構であって、一方の端に設けられたインク流入口と、他方の端に設けられインク排出口とを有する開放型のインク容器と、前記インク排出口と前記液滴吐出ヘッドとの間に設けられた開閉バルブと、前記インク容器の前記インク排出口側に設けられた圧力センサーと、前記開閉バルブと前記圧力センサーとが電気的に接続された制御部と、を備え、前記他方の端が、鉛直方向において、前記一方の端より下方に位置するように前記インク容器が配置されることを特徴とする。
【手続補正３】
【補正対象書類名】明細書
【補正対象項目名】００１４
【補正方法】変更
【補正の内容】
【００１４】
［適用例］本適用例に係わるインク供給方法は、液滴吐出ヘッドにインクを供給するためのインク供給方法であって、一方の端に設けられたインク流入口と、他方の端に設けられたインク排出口とを有する開放型のインク容器と、前記インク排出口と前記液滴吐出ヘッドとの間に設けられた開閉バルブと、前記インク容器の前記インク排出口側に設けられた圧力センサーと、前記開閉バルブと前記圧力センサーとが電気的に接続された制御部と、を備え、前記他方の端が、鉛直方向において、前記一方の端より下方に位置するように前記インク容器が配置されたインク供給機構を用い、前記制御部は、前記圧力センサーから出力される、前記インク容器中のインクの第１の液位に対応する第１の信号と、前記第１の液位よりも低い第２の液位に対応する第２の信号とを検知し、前記第２の信号を検知したときに、前記インク容器へのインクの注入を開始し、前記第１の信号を検知したときに、前記インク容器へのインクの注入を停止することを特徴とする。
【手続補正書】
【提出日】平成28年12月8日(2016.12.8)
【手続補正１】
【補正対象書類名】特許請求の範囲
【補正対象項目名】全文
【補正方法】変更
【補正の内容】
【特許請求の範囲】
【請求項１】
印刷装置であって、
複数のシート収納部に同一のシート情報をまとめて関連付ける指示を受け付ける受付手段と、
前記受付手段によって前記指示を受け付けたことに従って、前記複数のシート収納部に前記同一のシート情報を一括して関連付ける制御手段とを有することを特徴とする印刷装置。
【請求項２】
シート情報を関連付けるシート収納部を複数選択可能な選択手段をさらに備え、
前記受付手段によって前記指示を受け付けたことに従って、前記制御手段は、前記選択手段によって選択された複数のシート収納部に同一のシート情報を一括して関連付けることを特徴とする請求項１に記載の印刷装置。
【請求項３】
前記選択手段は、シート収納部を選択する選択画面を介して前記シート収納部を複数選択可能であり、
前記受付手段は、前記指示を、前記選択画面を介して受け付けることを特徴とする請求項１または２に記載の印刷装置。
【請求項４】
前記選択画面には、シート収納部に関連付けられるシート情報の内容が表示されることを特徴とする請求項３に記載の印刷装置。
【請求項５】
複数種類のシート情報からシート情報を指定する指定手段をさらに有し、
前記制御手段は、前記受付手段によって前記指示を受け付けたことに従って、前記複数のシート収納部に前記指定手段によって指定されたシート情報を一括して関連付けることを特徴とする請求項１乃至４のいずれか１項に記載の印刷装置。
【請求項６】
前記複数のシート収納部のいずれかのシート収納部からシートを給紙する給紙手段と、
前記給紙手段によって給紙されたシートに、当該シート収納部に関連付けられたシート情報に基づいて印刷を行う印刷手段をさらに有することを特徴とする請求項１乃至５のいずれか１項に記載の印刷装置。
【請求項７】
前記シート情報は、少なくとも、シートの坪量、シートの色、シートの種類の少なくとも１つを含むことを特徴とする請求項１乃至６のいずれか１項に記載の印刷装置。
【請求項８】
前記複数のシート収納部は、給紙カセットと手差しトレイとを含むことを特徴とする請求項１乃至７のいずれか１項に記載の印刷装置。
【請求項９】
情報処理装置であって、
複数のシート収納部に同一のシート情報をまとめて関連付ける指示を受け付ける受付手段と、
前記受付手段によって前記指示を受け付けたことに従って、前記複数のシート収納部に前記同一のシート情報を一括して関連付ける制御手段とを有することを特徴とする情報処理装置。
【請求項１０】
複数のシート収納部に同一のシート情報をまとめて関連付ける指示を受け付け、
前記指示を受け付けたことに従って、前記複数のシート収納部に前記同一のシート情報を一括して関連付けることを特徴とする方法。
【請求項１１】
請求項１０に記載された方法を、印刷装置のコンピュータに実行させるためのプログラム。
【手続補正２】
【補正対象書類名】明細書
【補正対象項目名】発明の名称
【補正方法】変更
【補正の内容】
【発明の名称】印刷装置、情報処理装置、方法、プログラム
【手続補正３】
【補正対象書類名】明細書
【補正対象項目名】０００１
【補正方法】変更
【補正の内容】
【０００１】
本発明は、シート収納部にシート情報を関連付けることが可能な印刷装置、情報処理装置、方法、プログラムに関する。
【手続補正４】
【補正対象書類名】明細書
【補正対象項目名】０００５
【補正方法】変更
【補正の内容】
【０００５】
本発明の目的の一つは、以下のとおりである。例えば、頻繁に使用するシートを複数のシート収納部に収納して運用する場合に、頻繁に使用するシート情報を複数のシート収納部に、まとめて容易に関連付けることができるようにした装置や方法等を提供することにある。
【手続補正５】
【補正対象書類名】明細書
【補正対象項目名】０００６
【補正方法】変更
【補正の内容】
【０００６】
上記目的を達成するために本発明の一態様に係る情報処理装置は以下のような構成を備える。即ち、情報処理装置であって、複数のシート収納部に同一のシート情報をまとめて関連付ける指示を受け付ける受付手段と、受付手段によって指示を受け付けたことに従って、複数のシート収納部に同一のシート情報を一括して関連付ける制御手段とを有することを特徴とする。
【手続補正６】
【補正対象書類名】明細書
【補正対象項目名】０００７
【補正方法】変更
【補正の内容】
【０００７】
本発明によれば、例えば、頻繁に使用するシートを複数のシート収納部に収納して運用する場合に、頻繁に使用するシート情報を複数のシート収納部に、まとめて容易に関連付けることができる。
【手続補正書】
【提出日】平成29年10月18日(2017.10.18)
【手続補正１】
【補正対象書類名】特許請求の範囲
【補正対象項目名】全文
【補正方法】変更
【補正の内容】
【特許請求の範囲】
【請求項１】
ヒータによって冷媒を加熱する加熱装置に異常が発生した場合に、復帰可能異常か復帰不可異常かどうか判定する異常判定手段と、
前記復帰可能異常であると判定された場合に、前記復帰可能異常が解除されたかどうか判定する解除判定手段と、
前記復帰可能異常、または前記復帰不可異常が発生すると、前記ヒータによる加熱を禁止する加熱禁止手段と、
前記復帰可能異常の発生により前記ヒータによる加熱を禁止した後に、前記復帰可能異常が解除された場合に、前記ヒータによる加熱を復帰させる加熱復帰手段と、を備え、
前記加熱禁止手段は、前記復帰不可異常が発生している場合には、前記復帰可能異常が解除されても前記ヒータによる加熱を禁止することを特徴とする車両空調用安全装置。
【請求項２】
請求項１に記載の車両空調用安全装置であって、
前記復帰可能異常は、前記ヒータへ電流を通電、または遮断するスイッチング素子、または前記ヒータの少なくとも一方の温度が各所定温度よりも高くなることを含み、
前記加熱禁止手段は、前記復帰可能異常が発生した場合には、前記冷媒を循環させるポンプを駆動させつつ、前記ヒータによる加熱を禁止することを特徴とする車両空調用安全装置。
【請求項３】
請求項１または２に記載の車両空調用安全装置であって、
前記加熱禁止手段は、前記ヒータを停止した後に前記冷媒の温度が上昇した場合には、前記ヒータによる加熱を禁止することを特徴とする車両空調用安全装置。
【請求項４】
請求項１から３のいずれか一つに記載の車両空調用安全装置であって、
前記異常判定手段は、前記復帰不可異常が発生しているかどうか判定し、前記復帰不可異常が発生していない場合に、前記復帰可能異常を判定することを特徴とする車両空調用安全装置。
【請求項５】
請求項２に記載の車両空調用安全装置であって、
前記復帰不可異常は、前記スイッチング素子の駆動に関する異常であることを特徴とする車両空調用安全装置。
【請求項６】
請求項１から５のいずれか一つに記載の車両空調用安全装置であって、
前記加熱復帰手段は、前記復帰可能異常が解除され、前記加熱装置が正常に動作すると判定された後に、前記ヒータによる加熱を復帰させることを特徴とする車両空調用安全装置。
【請求項７】
ヒータによって冷媒を加熱する加熱装置に異常が発生した場合に、復帰可能異常か復帰不可異常かどうか判定し、
前記復帰可能異常であると判定された場合に、前記復帰可能異常が解除されたかどうか判定し、
前記復帰可能異常、または前記復帰不可異常が発生すると、前記ヒータによる加熱を禁止し、
前記復帰可能異常の発生により前記ヒータによる加熱を禁止した後に、前記復帰可能異常が解除された場合に、前記ヒータによる加熱を復帰させ、
前記復帰不可異常が発生している場合には、前記復帰可能異常が解除されても前記ヒータによる加熱を禁止することを特徴とする車両空調用安全装置の制御方法。
【手続補正２】
【補正対象書類名】明細書
【補正対象項目名】０００６
【補正方法】変更
【補正の内容】
【０００６】
本発明のある態様に係る車両空調用安全装置は、ヒータによって冷媒を加熱する加熱装置に異常が発生した場合に、復帰可能異常か復帰不可異常かどうか判定する異常判定手段と、復帰可能異常であると判定された場合に、復帰可能異常が解除されたかどうか判定する解除判定手段と、復帰可能異常、または復帰不可異常が発生すると、ヒータによる加熱を禁止する加熱禁止手段と、復帰可能異常の発生によりヒータによる加熱を禁止した後に、復帰可能異常が解除された場合に、ヒータによる加熱を復帰させる加熱復帰手段と、を備え、前記加熱禁止手段は、前記復帰不可異常が発生している場合には、前記復帰可能異常が解除されても前記ヒータによる加熱を禁止する。
【手続補正３】
【補正対象書類名】明細書
【補正対象項目名】０００７
【補正方法】変更
【補正の内容】
【０００７】
本発明の別の態様に係る車両空調用安全装置の制御方法は、ヒータによって冷媒を加熱する加熱装置に異常が発生した場合に、復帰可能異常か復帰不可異常かどうか判定し、復帰可能異常であると判定された場合に、復帰可能異常が解除されたかどうか判定し、復帰可能異常、または復帰不可異常が発生すると、ヒータによる加熱を禁止し、復帰可能異常の発生によりヒータによる加熱を禁止した後に、復帰可能異常が解除された場合に、ヒータによる加熱を復帰させ、前記復帰不可異常が発生している場合には、前記復帰可能異常が解除されても前記ヒータによる加熱を禁止する。